(57)【特許請求の範囲】
【請求項１】
天板と、該天板周縁にグローブ取り付け面側に立ち上がる第１の立ち上がり部と、前記天板の該第１の立ち上がり部に近接して設けられ略水平な受け部と器具本体の周方向に沿って受け部の端から斜め下方に延設された案内部とを備えたグローブを支持する受け金具と、を有する器具本体と；平面部と該平面部に連接し器具本体への取り付け面側に立ち上がる第２の立ち上がり部とを有する開口端部を備え、開口周縁部に前記受け金具に支持される張り出し部を設けたグローブと；を有し、グローブを回転させることでグローブが器具本体に装着される照明器具において、隣接する前記受け金具間に、グローブを器具本体に対し正常な位置に導くために器具本体の内側から器具本体の外側上方に向った傾斜を備えたガイド部を有する受け具を設け、前記受け金具及び受け具を前記天板に交互に略等ピッチで配置し、前記グローブを前記器具本体に取り付けた際に、前記受け金具及び受け具に対応する箇所に前記張り出し部を設け、前記張り出し部は前記受け具に支持されることを特徴とする照明器具。
【発明の詳細な説明】
【０００１】
【発明の属する技術分野】
本発明は、照明器具に関するものである。
【０００２】
【従来の技術】
図４，図５は、従来例に係る照明器具の分解斜視図であり、これは、グローブ２を器具本体１に対して回転させることにより、グローブ２の張り出し部３が器具本体１に設けた受け金具４に進入して支持されるものである。
【０００３】
グローブ２は、ランプ６を包囲し、開口周縁部に取り付け状態において上方を向いた立ち上がり部８と、立上り部に連接する平面部２ａと、開口端に開口中央方向に張り出す張り出し部３を有し、この立ち上がり部８の径は、器具本体１の後述する立ち上がり部７の径よりも小さく構成されている。
【０００４】
器具本体１は、略円板状の天板１ａの中央に点灯装置５及びランプ６等が取り付けられ、周縁部に取り付け状態において下方を向いた立上がり部７が設けられている。
【０００５】
ここで、図４に示す照明器具では、立上がり部７に近接した天板１ａに受け金具４が設けられている。受け金具４は、図６に示すように、略Ｌ字状であって、下端に略水平な受け部４ａと、器具本体の周方向に沿って受け部４ａの下端から斜め下方に延設された案内部４ｂとで構成されており、グローブ２の開口を器具本体１と合わせて押し上げて回転させることにより、張り出し部３が案内部４ｂに案内されて受け部４ａ上に乗り上げて、受け部４ａに支持されて器具本体１に装着される。
【０００６】
また、図５に示す照明器具では、立ち上がり部７に近接した天板１ａに、グローブ２を照明器具１に取り付ける際に正常な位置になるようなガイドを兼ねた受け金具９が設けられている。受け金具９は、下端が略水平な略Ｌ字状の受け部９ａと、下端から下方に設けられた突起部９ｂとで構成されており、グローブ２の開口を器具本体１と合わせて押し上げて回転させる際に、正常な位置以外ではグローブ２の張り出し部３が突起部９ａに当たって回転させることができず、正常な位置で回転させると、張り出し部３が受け部９ａに進入して、受け部４ａに支持されて器具本体１に装着される。
【０００７】
図７は、従来例に係る照明器具の概略構成図であり、（ａ）は要部断面図であり、（ｂ）は概略底面図である。この照明器具では、器具本体１の立ち上がり部７の先端を、グローブ２の平面部２ａに当設させることにより、防虫性を確保している。
【０００８】
【発明が解決しようとする課題】
ところが、上述の照明器具では、グローブ２に熱が加わることで、グローブ２を保持している部分以外が下方に垂れ（受け金具４，９間の丁度中間で最大）、器具本体１とグローブ２との間に隙間が発生し、防虫性を確保できないという問題があった。
【０００９】
本発明は、上記の点に鑑みて成されたものであり、その目的とするところは、熱が加わった際にも防虫性を確保することのできる照明器具を提供することにある。
【００１０】
【課題を解決するための手段】
請求項１記載の発明は、天板と、該天板周縁にグローブ取り付け面側に立ち上がる第１の立ち上がり部と、前記天板の該第１の立ち上がり部に近接して設けられ略水平な受け部と器具本体の周方向に沿って受け部の端から斜め下方に延設された案内部とを備えたグローブを支持する受け金具と、を有する器具本体と；平面部と該平面部に連接し器具本体への取り付け面側に立ち上がる第２の立ち上がり部とを有する開口端部を備え、開口周縁部に前記受け金具に支持される張り出し部を設けたグローブと；を有し、グローブを回転させることでグローブが器具本体に装着される照明器具において、隣接する前記受け金具間に、グローブを器具本体に対し正常な位置に導くために器具本体の内側から器具本体の外側上方に向った傾斜を備えたガイド部を有する受け具を設け、前記受け金具及び受け具を前記天板に交互に略等ピッチで配置し、前記グローブを前記器具本体に取り付けた際に、前記受け金具及び受け具に対応する箇所に前記張り出し部を設け、前記張り出し部は前記受け具に支持されることを特徴とするものである。
【００１１】
【発明の実施の形態】
以下、本発明の一実施の形態について図面に基づき説明する。図１は、本発明の一実施の形態に係る照明器具を示す概略構成図であり、（ａ）は要部断面図であり、（ｂ）は要部底面図であり、図２は、本実施の形態に係る受け具１１を示す概略斜視図である。この照明器具は、器具本体１と、この器具本体１に回転させて取り付けるグローブ２とを備えて成る。
【００１２】
グローブ２は、ランプ６を包囲し、開口周縁部に取り付け状態において上方を向いた立ち上がり部８と、立上り部に連接する平面部２ａと、開口端に開口中央方向に張り出す張り出し部３を有し、この立ち上がり部８の径は、器具本体１の後述する立ち上がり部７の径よりも小さく構成されており、張り出し部３には、補助止め具１０が設けられている。
【００１３】
器具本体１は、略円板状の天板１ａの中央に点灯装置５及びランプ６等が取り付けられ、周縁部に取り付け状態において下方を向いた立上がり部７が設けられ、立上がり部７に近接した天板１ａに受け金具４が設けられている。
【００１４】
受け金具４は、図６に示すように、略Ｌ字状であって、下端に略水平な受け部４ａと、器具本体の周方向に沿って受け部４ａの下端から斜め下方に延設された案内部４ｂとで構成されており、グローブ２の開口を器具本体１と合わせて押し上げて回転させることにより、張り出し部３に設けられた補助止め具１０が案内部４ｂに案内されて受け部４ａ上に乗り上げて、受け部４ａに支持されて器具本体１に装着される。
【００１５】
また、立ち上がり部７に近接した天板１ａには、受け金具４と同数の受け具１１が設けられ、受け金具４と受け具１１とは、天板１ａに交互に等ピッチで配置されている。
【００１６】
受け具１１は、グローブ２を器具本体１に対して正常な位置へ導くためのものであり、略コ字状の保持部１１ａと、保持部１１ａの下端底面に設けられてガイド部１１ｂとで構成されている。そして、グローブ２を器具本体１に対して正常な位置以外で回転させると、補助止め具１０がガイド部１１ｂに当たってグローブ２を回転させることができず、正常な位置で回転させると、補助止め具１０が保持部１１ａに進入して、保持部１１ａにより保持される。
ここで、グローブ２の張り出し部３は、グローブ２を器具本体１に取り付けた際に、受け金具４及び受け具１１に対応する箇所に設けられている。
【００１７】
そして、立ち上がり部７の先端が、グローブ２の平面部２ａに等設することにより、防虫性を確保している。
【００１８】
従って、本実施の形態においては、グローブ２に熱が加わった際に、グロー２が最も垂れやすい部分（従来例として図４，図５に示す照明器具の受け金具４，９間の中間）に受け具１１を設けて、張り出し部３に設けられた補助止め具１０を保持するようにしているので、熱が加わった際のグローブ２の垂れを防止することができ、グローブ２と器具本体１との隙間の発生を防止して、防虫性を確保することができる。
【００１９】
また、受け具１１が、グローブ２を器具本体１に対して正常な位置へ導くためのガイドを兼ねているので、器具本体１に対するグローブ２の取り付けが容易になる。
【００２０】
また、補助止め具１０を支持する箇所が増える（受け金具４及び受け具１１を設けた箇所）ことで、器具本体１に対するグローブ２の取り付け時の回転角度が小さくなり、さらに取り付けやすくなる。
【００２１】
なお、本実施の形態においては、補助止め具１０を受け金具４の受け部４ａ及び受け具１１の保持部１１ａに進入させて支持するようにしたが、これに限定されるものではなく、例えば、図３に示すように、張り出し部３を直接、受け金具４の受け部４ａ及び受け具１１の保持部１１ａに進入させて支持するようにしても良い。
【００２２】
【発明の効果】
請求項１記載の発明は、隣接する受け金具間に受け具を設けたので、グローブに熱が加わった際に、グローが最も垂れやすい部分が受け具により支持され、熱が加わった際のグローブの垂れを防止することができ、また、受け具が、グローブを器具本体に対して正常な位置へ導くためのガイド部を有しているので、器具本体に対するグローブの取り付けが容易になり、また、張り出し部を受け具及び受け金具により支持するので、支持する箇所が増えて、器具本体に対するグローブの取り付け時の回転角度が小さくなり、さらに取り付けやすくなり、熱が加わった際にも防虫性を確保することのできる照明器具を提供することができた。
【図面の簡単な説明】
【図１】本発明の一実施の形態に係る照明器具を示す概略構成図であり、（ａ）は要部断面図であり、（ｂ）は要部底面図である。
【図２】本実施の形態に係る受け具を示す概略斜視図である。
【図３】本発明の他の実施の形態に係る照明器具を示す概略構成図であり、（ａ）は要部断面図であり、（ｂ）は要部底面図である。
【図４】従来例に係る照明器具の分解斜視図である。
【図５】従来例に係る照明器具の分解斜視図である。
【図６】従来例に係る照明器具を示す概略構成図であり、（ａ），（ｂ）は要部断面図であり、（ｃ）は要部底面図である。
【図７】従来例に係る照明器具の概略構成図であり、（ａ）は要部断面図であり、（ｂ）は概略底面図である。
【符号の説明】
１  器具本体
１ａ  天板
２  グローブ
２ａ  平面部
３  張り出し部
４  受け金具
４ａ  受け部
４ｂ  案内部
５  点灯装置
６  ランプ
７，８  立ち上がり部
９  受け金具
９ａ  受け部
９ｂ  突起部
１０  補助止め具
１１  受け具
１１ａ  保持部
１１ｂ  ガイド部
【図１】
0003948098.tif 000002
【図２】
0003948098.tif 000003
【図３】
0003948098.tif 000004
【図４】
0003948098.tif 000005
【図５】
0003948098.tif 000006
【図６】
0003948098.tif 000007
【図７】
0003948098.tif 000008